(57)【特許請求の範囲】
【請求項１】
ブレードルーバと、このブレードルーバの両端に連結され当該ブレードルーバを回転自在に支持するサポートルーバとを有する風向変更羽根を備えた空気調和機において、前記ブレードルーバと前記サポートルーバとの連結部におけるブレードルーバの下縁をサポートルーバの下縁の下方部に延在し、前記ブレードルーバにのみ植毛したことを特徴とする空気調和機。
【請求項２】
ブレードルーバと、このブレードルーバの両端に連結され当該ブレードルーバを回転自在に支持するサポートルーバとを有する風向変更羽根を備えた空気調和機において、前記ブレードルーバの端縁部を前記サポートルーバの嵌合穴に嵌合することにより両ルーバを連結し、この連結部におけるブレードルーバの下縁をサポートルーバの下縁の下方部に延在し、前記ブレードルーバにのみ植毛したことを特徴とする空気調和機。
【発明の詳細な説明】
【０００１】
【発明の属する技術分野】
本発明は、吹出口に風向変更羽根を備える空気調和機に関する。
【０００２】
【従来の技術】
一般に、ブレードルーバと、このブレードルーバの両端に連結され当該ブレードルーバを回転自在に支持するサポートルーバとを有する風向変更羽根を備えた空気調和機は知られている。この種のものでは、図６に示すように、ブレードルーバ１６の凸部をサポートルーバ１７の凹部に嵌合することにより両ルーバ１６，１７を連結して風向変更羽根１５を形成するようにしている。
【０００３】
この種の空気調和機では、冷房運転時において、風向変更羽根１５の表面及び裏面の温度差に従って、結露が発生し、この冷房運転を続けると、風向変更羽根１５の下端から室内へ露が滴下するという問題がある。
【０００４】
この為に従来では、例えば風向変更羽根１５の表裏全面に吸収部材による植毛を施して、生じた結露を吸収拡散して、自然蒸発させて結露水の室内への滴下を防止したり、風向変更羽根１５自体を吸水性セラミックで形成し、吸水能力を高めることにより、結露水の室内への滴下を防止したりするようにしている（例えば、実公平４−４８４３８号参照）。
【０００５】
【発明が解決しようとする課題】
しかしながら、従来の構造では、ブレードルーバ１６だけではなくサポートルーバ１７に対しても全面植毛しなければならず、このサポートルーバ１７への植毛は非常に困難で製造コストが高くなるという問題がある。
【０００６】
そこで、本発明の目的は、従来の技術が有する課題を解消し、サポートルーバへの植毛を省略することのできる空気調和機を提供することにある。
【０００７】
【課題を解決するための手段】
請求項１に記載の発明は、ブレードルーバと、このブレードルーバの両端に連結され当該ブレードルーバを回転自在に支持するサポートルーバとを有する風向変更羽根を備えた空気調和機において、前記ブレードルーバと前記サポートルーバとの連結部におけるブレードルーバの下縁をサポートルーバの下縁の下方部に延在し、前記ブレードルーバにのみ植毛したものである。
【０００８】
請求項２に記載の発明は、ブレードルーバと、このブレードルーバの両端に連結され当該ブレードルーバを回転自在に支持するサポートルーバとを有する風向変更羽根を備えた空気調和機において、前記ブレードルーバの端縁部を前記サポートルーバの嵌合穴に嵌合することにより両ルーバを連結し、この連結部におけるブレードルーバの下縁をサポートルーバの下縁の下方部に延在し、前記ブレードルーバにのみ植毛したものである。
【０００９】
これらの発明によれば、ブレードルーバの下縁がサポートルーバの下縁の下方部に延在するので、サポートルーバ表裏全面に発生した結露は、サポートルーバの下縁からブレードルーバの下縁端部へと流れるので、ブレードルーバの下縁端部により吸収拡散され、そこで自然蒸発するので、サポートルーバは吸収性を必要とせず、樹脂等により形成するだけで、植毛等の必要もないため、安価で簡単な風向変更羽根を得ることができる。
【００１０】
【発明の実施の形態】
以下、本発明の一実施の形態を図面に基づいて説明する。
【００１１】
図１において、符号１は４方向の天井カセット型エアコンと呼ばれる空気調和機を示す。この空気調和機１は本体２と化粧パネル３（以下単に、「パネル」という。）とから構成される。本体２は天井裏４に配置されるもので、内部には熱交換器、送風機（いずれも図示せず）等が収納される。
【００１２】
本体２の下方には天井５と略面一になるようにパネル３が配置され、このパネル３の略中央には室内空気を吸い込むための吸込みグリル６が設けられる。この吸込グリル６の周囲には吹出口７ａ、７ｂ、７ｃ、７ｄが設けられ、これらの吹出口７ａ〜７ｄには風向を自在に変更可能な風向変更羽根８０ａ、８０ｂ、８０ｃ、８０ｄが取り付けられる。吸込グリル６より吸い込まれる室内空気（実線矢印Ａ）は、本体２内の熱交換器にて熱交換された後、各々の吹出口７ａ〜７ｄから吹き出される（実線矢印Ｂ）。
【００１３】
図２は、前記パネル３の裏面を示す。
【００１４】
パネル３の中央には開口部１０が設けられ、この開口部１０には上述した吸込グリル６（図１参照）が取り付けられる。パネル３の対角位置には風向変更羽根駆動用のモータ１１ａ、１１ｂが配置され、これらのモータ１１ａ、１１ｂのそれぞれの駆動軸１２、１３には、それぞれ風向変更羽根８０ａ〜８０ｄがつながれている。これによれば、風向変更羽根８０ａ〜８０ｄはモータ１１により回動され、風向を変更する。
【００１５】
この実施の形態によれば、四枚の風向変更羽根８０ａ〜８０ｄの構成に特徴を有する。すなわち、図３に示すように、それぞれの風向変更羽根８０ａ〜８０ｄは、ブレードルーバ８１ａと、このブレードルーバ８１ａの両端に連結されるサポートルーバ８２ａとにより構成される。なお、それぞれの風向変更羽根８０ａ〜８０ｄは構造が同じであるので、説明の便宜上、風向変更羽根８０ａを代表にして説明するものとする。
【００１６】
ブレードルーバ８１ａは、例えばアルミニウム製であり、表裏全面には吸水性を有する部材８３ａが植毛され、両端には２ヶ所の切欠１０１ａ，１０１ｂが存在し、この切欠１０１ａ，１０１ｂにより、ブレードルーバ８１ａの端部は、上縁端部８１Ｘａ、中央端部８１Ｙａ、下縁端部８１Ｚａに分割される。
【００１７】
一方、サポートルーバ８２ａは樹脂製であり、しかもサポートルーバ８２ａの表裏全面には、上記の部材８３ａ等は植毛されていない。サポートルーバ８２ａの端部には、図３に示すように、ブレードルーバ８１ａの中央端部８１Ｙａの挿入される開口部８４ａが形成される。尚、符号８５ａはシャフトである。
【００１８】
この実施の形態によれば、ブレードルーバ８１ａの中央端部８１Ｙａをサポートルーバ８２ａの開口部８４ａに嵌合することにより、両ルーバ８１ａ，８２ａを連結する場合、図４に示すように、ブレードルーバ８１ａの下縁はサポートルーバ８２ａの下縁の下方部に延在する。
【００１９】
次に、動作を説明する。
【００２０】
この空気調和機が冷房運転を行っている時には、図５に示すように、吹出口７ａから風向変更羽根８０ａに案内された冷風が吹出される。この冷風は、風向変更羽根８０ａを構成するブレードルーバ８１ａとサポートルーバ８２ａの表裏面に接触しながら吹出されるが、表裏面に接触する空気の温度差により、いずれかの面には結露が生じる。
【００２１】
ブレードルーバ８１ａの面に発生した結露水は、ブレードルーバ８１ａの全面に植毛された部材８３ａにより吸収拡散されるので、自然蒸発して結露水の室内への滴下は防止される。また、サポートルーバ８２ａの表裏全面に発生した結露水は、このサポートルーバ８２ａの下縁からブレードルーバ８１ａの下縁端部８１Ｚａへと流れ出し、このブレードルーバ８１ａに植毛された部材８３ａにより吸収拡散される。要するに、サポートルーバ８２ａに植毛してなくても、そこに発生した結露水は、下縁からブレードルーバ８１ａの下縁端部８１Ｚａへと流れ出し、下縁端部８１Ｚａに植毛された部材８３ａにより吸収拡散されるので、そこで自然蒸発し、結露水の室内への滴下は防止される。
【００２２】
以上、一実施の形態に基づいて本発明を説明したが、本発明は、これに限定されるものではない。例えば、アルミニウム製のブレードルーバ８１ａの面に部材８３ａを植毛したものについて説明したが、これに限定するものではなく、例えばブレードルーバ８１ａ自体を吸収性セラミック等の吸収性を有する材料で形成することも可能である。
【００２３】
【発明の効果】
本発明によれば、ブレードルーバの下縁がサポートルーバの下縁の下方部に延在するので、サポートルーバは吸水性を必要とせず、樹脂等により形成し、植毛等は必要ないため、安価な空気調和機になる等の効果が得られる。
【図面の簡単な説明】
【図１】本発明の空気調和機を示す斜視図である。
【図２】風向変更羽根の配置を示す平面図である。
【図３】風向変更羽根の端部の分解斜視図である。
【図４】風向変更羽根の端部の連結斜視図である。
【図５】風向変更羽根の結露の状況を表した図である。
【図６】従来の風向変更羽根の端部の分解斜視図である。
【符号の説明】
１  空気調和機
３  化粧パネル
７ａ〜７ｄ  吹出口
８０ａ〜８０ｄ  風向変更羽根
８１ａ  ブレードルーバ
８２ａ  サポートルーバ
８３ａ  吸収部材
【図１】
0003695835.tif 000002
【図２】
0003695835.tif 000003
【図３】
0003695835.tif 000004
【図４】
0003695835.tif 000005
【図５】
0003695835.tif 000006
【図６】
0003695835.tif 000007